(57)【要約】【課題】ハードディスク等の記憶装置に録画されたコンテンツの視聴履歴を記録することを可能にしたデジタル録画再生装置を提供する。【解決手段】テレビ番組を含む各種コンテンツを録画（以下、録音を含む）するハードディスク２０と、該ハードディスク２０に録画されたコンテンツを読み込んで所定の信号処理を施して表示装置に出力する映像信号処理回路１３及び音声信号処理回路１５と、映像信号処理回路１３がハードディスク２０から読み出した信号量又はその時間をコンテツ毎に積算する制御部（視聴履歴管理手段）２１とを備えたものである。【選択図】図１
2008153734.tif 000002
【特許請求の範囲】
【請求項１】
テレビ番組を含む各種コンテンツを録画（以下、録音を含む）する記録装置と、
該記録装置に録画されたコンテンツを読み込んで所定の信号処理を施して表示装置に出力する信号処理回路と、
該映像信号処理回路が該記憶装置から読み込んだ信号量又はその時間を前記コンテツ毎に積算する視聴履歴管理手段と
を備えたことを特徴とするデジタル録画再生装置。
【請求項２】
前記視聴履歴管理手段は、前記コンテツ毎に積算した信号量又はその時間に基づいて、未視聴、視聴中及び視聴済の何れかのステータスを設定することを特徴とする請求項１記載のデジタル録画再生装置。
【請求項３】
前記視聴履歴管理手段は、各コンテツの前記ステータスを予め設定されたユーザー毎に設定することを特徴とする請求項２記載のデジタル録画再生装置。
【請求項４】
前記視聴履歴管理手段は、自動削除フラグがセットされ、且つ、コンテンツに対して全てのユーザーのステータスが視聴済になったときに、該当するコンテンツを削除することを特徴とする請求項３記載のデジタル録画再生装置。
【発明の詳細な説明】
【技術分野】
【０００１】
本発明は、デジタル録画再生装置に関し、特にハードディスク等の記憶装置に録画（録音を含む）されたコンテンツの視聴履歴の記録に関する。
【背景技術】
【０００２】
従来、デジタル放送受信機の普及に伴ってその視聴履歴提示機能を持ったものが提案されている。例えば「ユーザーが番組を視聴すると、その番組についてディジタル放送の伝送信号から視聴番組データ（例：番組名、放送日、放送時間、チャンネル等）を取得し、メモリする。ユーザーより視聴履歴の要求があったとき、メモリより視聴番組データを読み出して、視聴履歴を作成し、これをＴＶ画面に表示する。」というものが提案されている（例えば特許文献１）。
【特許文献１】特開平１０−３０４２６７号公報（要約）
【発明の開示】
【発明が解決しようとする課題】
【０００３】
上記の特許文献１において提案されているものはユーザーがテレビ番組を視聴したときの視聴履歴を作成するものであるが、例えば大容量のハードディスクに一旦録画しておいて後日視聴するような場合には適用することができなかった。大容量のハードディスクには多量のコンテンツを保存することができるが、それが視聴済みのものであるのかどうかの管理がなされておらず、コンテンツの整理がつかないという問題点があった。
【０００４】
本発明は、このような問題点を解決するためになされたものであり、ハードディスク等の記憶装置に録画されたコンテンツの視聴履歴を記録することを可能にしたデジタル録画再生装置を提供することを目的とする。
【課題を解決するための手段】
【０００５】
本発明に係るデジタル録画再生装置は、テレビ番組を含む各種コンテンツを録画（以下、録音を含む）する記憶装置と、該記憶装置に録画されたコンテンツを読み込んで所定の信号処理を施して外部機器に出力する信号処理回路と、該信号処理回路が該記憶装置から読み出した信号量又はその時間を前記コンテンツ毎に積算する視聴履歴管理手段とを備えたものである。本発明においては、例えばハードディスク等の記憶装置から読み込んだ信号量又はその読み出し時間をコンテンツ毎に積算するようにしたので、記憶装置に録画されたコンテンツの視聴履歴を記録することができる。
【０００６】
本発明に係るデジタル録画再生装置において、前記視聴履歴管理手段は、前記コンテンツ毎に積算した信号量又はその時間に基づいて、未視聴、視聴中及び視聴済の何れかのステータスを設定するものである。本発明においては、各コンテンツ毎に未視聴、視聴中及び視聴済の何れかのステータスが設定されるので、コンテンツの視聴状態を簡単に把握することができる。
【０００７】
本発明に係るデジタル録画再生装置において、前記視聴履歴管理手段は、各コンテンツの前記ステータスを予め設定されたユーザー毎に設定するものである。このため、本発明においては、ユーザー毎にコンテンツの視聴状態を把握することできる。
【０００８】
本発明に係るデジタル録画再生装置において、前記視聴履歴管理手段は、自動削除フラグがセットされ、且つ、コンテンツに対して全てのユーザーのステータスが視聴済になったときに、該当するコンテンツを自動的に削除するものである。本発明においては、視聴済のコンテンツが自動的に削除されるので、記憶装置に保存されるコンテンツが自動的に整理されて使い勝手のよいものとなっている。
【発明を実施するための最良の形態】
【０００９】
実施形態１．
図１は本発明の実施形態１に係るデジタル録画再生装置の構成を示すブロック図である。このデジタル録画再生装置は、アンテナ１０、チューナー１１、デマルチプレクサ１２、映像信号処理回路１３、ＯＳＤ処理回路１４、音声信号処理回路１５、操作部１６、インターフェース（ＩＦ）１７、リモコン１８、信号受信部１９、ハードディスク２０及び制御部２１を備えている。そして、チューナー１１、デマルチプレクサ１２、映像信号処理回路１３、ＯＳＤ処理回路１４、音声信号処理回路１５、インターフェース１７、信号受信部１９及びハードディスク２０はバス２２を介して接続されており、制御部２１により回路全体が制御されている。制御部２１は、ＣＰＵ２１１、ＣＰＵ２１１が実行すべきプログラムや固定データなどが書き込まれたＲＯＭ２１２及びＣＰＵ２１１のワークエリアなどとして機能するＲＡＭ２１３によって構成されている。また、この制御部２１は本発明の視聴履歴管理手段としての機能も果たすものであり、後述のように、ハードディスク２０に録画されたコンテンツが読み出されて映像信号処理回路１３に読み込まれる映像信号量を計測して視聴履歴を作成する処理をする。なお、上記の映像信号処理回路１３及び音声信号処理回路１５は本発明の信号処理回路を構成している。
【００１０】
図２は例えばハードディスク２０に格納されている視聴履歴テーブル２０ａを示したものである。この視聴履歴テーブル２０ａには各コンテンツの履歴情報が格納されている。この履歴情報としては、例えばハードディスク２０からの映像信号の読み出し量、視聴状態、視聴日時、視聴状態が格納される。視聴状態として、未視聴は１度もコンテンツを再生していない状態を表し、視聴中はコンテンツを１度は再生して視聴し、視聴した映像信号の割合がＮ％（例えば８％〜１００％）未満の状態を表し、視聴済みは視聴した映像信号の割合がＮ％以上の状態を表すものとする。なお、視聴した映像信号の割合とは、
視聴した映像信号の割合
＝（視聴した映像信号量／コンテンツ全体の映像信号量）×１００
で表されるものとする。また、上記のＮ％はユーザーが任意に設定できるものとする。
【００１１】
図３は例えば操作部１６又はリモコン１８により、例えばコンテンツの視聴が完了したら、それらを自動的に削除するかどうかの自動削除フラグを設定する場合のメニュー画面の例である。このメニュー画面はＲＯ２１２にメニュー画面の情報が格納されており、その情報がＣＰＵ２１１により読み出されてＯＳＤ処理回路１４に出力され、ＯＳＤ処理回路１４はその情報をＯＳＤ表示用に信号処理して映像信号処理回路１３により合成されて、メニュー画面として外部の表示デバイス（図示せず）により表示される。このメニュー画面において例えば「削除します。」を選択すると、ハードディスク２０に設定される自動削除フラグ２０ｂがセットされることになる。
【００１２】
図１のデジタル録画再生装置１において、まず、受信したチャンネルの番組（コンテンツ）をそのまま出力する動作について説明する。利用者が操作部１６又はリモコン１８を操作して見たいチャンネルを選択すると、そのチャンネルに相当する選局信号を発生し、制御部２１はその選局信号をインターフェース１７又は受信部１９及びバス２２を介して受信し、制御部２１がその選局信号に基づいてチューナー１１に選局信号を出力することによりチューナー１１にそのチャンネルが設定される。アンテナ１０は周波数変換器を備えており、例えばＣＳ（Communication Satellite）から送られてくるデジタル放送信号を受信して、周波数変換した信号をチューナー１１に出力する。チューナー１１は、復調回路、逆インタリーブ回路、誤り訂正回路等を備えており、映像・音声データを含む高周波ディジタル変調信号のうちから、上記にて設定されたチャンネルに相当する特定周波数の信号を取り出す処理をする。すなわち、ディジタル放送の複数のトランスポンダのなかから一つを選択する処理を行う。デマルチプレクサ（ＤＥＭＵＸ）１２は、チューナー１１により選択されたトランスポート・ストリームを、例えばＭＰＥＧ２（Moving Picture Experts Group2）のビデオストリーム、オーディオストリーム、及びＰＳＩ／ＳＩ（Program Specific Information/Service Information）等に分離し、ビデオストリームは映像信号処理回路１３に出力し、オーディオストリームは音声信号処理回路１５に出力し、ＰＳＩ／ＳＩは例えばバス２２を介して制御部２１に出力する。映像信号処理回路１３はそのビデオストリームを信号処理して映像信号出力端子２５を介して外部の表示デバイスに出力し、映像を表示させる。音声信号処理回路１５はそのオーディオストリームを信号処理してＤ／Ａ変換し、内蔵したアンプにより増幅した後に、音声信号出力端子２６を介して外部の表示デバイス（スピーカー内蔵）に出力して音声を出力させる。
【００１３】
また、図１のデジタル録画再生装置１において、受信したチャンネルのコンテンツを録画する場合に動作を説明すると、デマルチプレクサ（ＤＥＭＵＸ）１２により分離されたＭＰＥＧ２のビデオストリーム及びオーディオストリームは、制御部２１により適宜圧縮されてハードディスク２０に保存される。
【００１４】
また、再生する際には、ハードディスク２０に保存されているコンテンツの内、操作部１６又はリモコン１８により選択されたコンテンツ（ビデオストリーム及びオーディオストリーム）が解凍されて映像信号処理回路１３及び音声信号処理回路１５にそれぞれ読み込まれ、映像信号処理回路１３及び音声信号処理回路１５において適宜信号処理をして映像信号出力端子２５及び音声信号出力端子２６から映像信号及び音声信号を外部の表示デバイス（スピーカー内蔵）に出力し、映像及び音声がそれぞれ得られる。
【００１５】
図４は上記においてハードディスク２０に保存されているコンテンツを再生したときの制御部２１の処理を示したフローチャートである。
ＣＰＵ２１１は、ハードディスク２０から読み出された映像信号の信号量を計測し（Ｓ１１）、その計測を操作部１６又はリモコン１８からの再生処理の終了があるまで繰り返す（Ｓ１２）。操作部１６又はリモコン１８からの再生処理の終了があると、ＣＰＵ２１１はその計測量を、ハードディスク２０の該当するコンテンツの信号量に加算して保存するとともに、その日時を保存する（Ｓ１３）。そして、その加算量（積算量）に応じて、視聴状態として、未視聴、視聴中又は視聴済の何れかをセットする（Ｓ１４）。このようにして再生処理が終了した後、例えば操作部１６（又はリモコン１８）の操作により電源オフ処理をする際には図５に示される処理を行う。この処理は、その他に、電源オン等任意のタイミングで行うことができるものとする。
【００１６】
図５はハードディスク２０に保存されているコンテンツを自動消去する際の処理を示したフローチャートである。制御部２１のＣＰＵ２１１は、操作部１６（又はリモコン１８）からの再生処理の終了、電源オフ等の所定の操作信号を入力すると、ハードディスク２０の自動削除フラグ２０ｂのデータを読み込んでそれがセットされているかどうかを判定し（Ｓ２１）、自動削除フラグ２０ｂがセットされていない場合には、そのまま終了する。また、自動削除フラグ２０ｂがセットされている場合には、計数ｎ＝１と設定し（Ｓ２２）、ハードディスク２０にｎ番目の保存されているコンテンツの視聴状態が視聴済みであるかどうかを判定し（Ｓ２３）、視聴済みであった場合にはそのコンテンツを削除する（Ｓ２４）。コンテンツの視聴状態が視聴済みでなかった場合又はコンテンツを削除した場合には、次に、全てのコンテンツについてチェックが終了したかどうかについて判定し（Ｓ２５）、終了していない場合には、計数ｎをインクリメントし（ｎ＝ｎ＋１）（Ｓ２６）、上記の処理（Ｓ２３）〜（Ｓ２５）を繰り返し、全てのコンテンツについてのチェックが終了するとこの処理を終了する。
【００１７】
なお、上記の説明においては、自動削除フラグ２０ｂがコンテンツ全体に共通のものとした例について説明したが、各コンテンツ毎に自動削除フラグ２０ｂを設定し、自動削除フラグ２０ｂが設定されているコンテンツが視聴済みになるとハードディスク２０から自動的に削除するようにしてもよい。その場合には、コンテンツの視聴テーブルを作成した際にその自動削除フラグ２０ｂの初期状態はセット状態にし、自動消去を望まない場合（保護する）にはリモコン１８（又は操作部１６）により操作してメニュー画面（図２参照）を表示し、「削除しません。」をチェックするようにするのがより実用的であるといえる。
【００１８】
以上のように本実施形態１においては、ハードディスク２０から読み出された映像信号量をコンテンツ毎に積算するようにしたので、ハードディスク２０に録画されたコンテンツの視聴履歴を記録することができる。また、視聴状態として、未視聴、視聴中及び視聴済の何れかのステータスが設定されるので、コンテンツの視聴状態を簡単に把握することができる。
【００１９】
また、自動削除フラグ２０ｂが設定され、且つ、コンテンツのステータスが視聴済になったときに、該当するコンテンツを自動的に削除するので、ハードディスク２０に保存されるコンテンツが自動的に整理されて使い勝手のよいものとなっている。
【００２０】
また、ハードディスク２０から読み出された映像信号量を積算して視聴状態を把握するようにしたので、早送りするようなときにも（例えばコマーシャル部分の映像）視聴状態として管理するようしたので、実際の使用状態に整合したものとなっている。
【００２１】
実施形態２．
上記の実施形態１においてはユーザーが１名の場合を前提にして説明したが、ユーザーが複数の場合においても同様にして処理することができる。そのことを図６に基づいて説明する。
【００２２】
図６はユーザーが複数の場合の視聴履歴テーブルを示した図である。リモコン１８（又は操作部１６）により操作してメニュー画面を表示し、ユーザー名を入力して図６のテーブルを作成するようにする。そして、ハードディスク２０に録画されたコンテンツを視聴する際に、ユーザー名を最初に入力させるようにすることで、該当するユーザーの視聴履歴を把握することができる。その場合には、図５のフローチャートにおいて、コンテンツを削除する処理（Ｓ２４）は、同一のコンテンツについて全ユーザーの視聴状態が視聴済みになった段階で行うことになる。
【００２３】
また、上記の実施形態１においてはデジタル放送をアンテナを介して受信する例について説明したが、光ファイバ等のケーブルを介して受信する場合においても同様に適用することができる。
また、上記の実施形態１においては録画再生装置の例については説明したが、この録画再生装置を内蔵したデジタルテレビ受信機等にも同様に適用することができる。
更に、上記の実施形態１の録画再生装置を実質的に内蔵したパソコンにも同様に適用することができる。この場合には、テレビアンテナだけでなくインターネットを介してコンテンツを受信してそれをハードディスクに録画したものを再生するようにすることができる。
また、上記の実施形態１においては記憶装置としてハードディスクの例について説明したが、多量のコンテンツを保存できるような記憶装置であれば同様に適用することができる。
また、上記の実施形態１においては、視聴状態を管理するために映像信号量を積算する例について説明したが、それとともに或いはそれに代えて音声信号量を積算するようにしてもよい。更に、映像信号量（音声信号量）に代えて、視聴時間を積算して管理するようにしてもよい。
【図面の簡単な説明】
【００２４】
【図１】実施形態１に係る録画再生装置の構成を示すブロック図。
【図２】視聴履歴テーブルを示した図。
【図３】自動削除フラグを設定する際にメニュー画面。
【図４】コンテンツを再生したときの視聴履歴を作成する際の処理を示すフローチャート。
【図５】コンテンツを自動的に削除する際の処理を示すフローチャート。
【図６】ユーザーが複数の場合の視聴履歴テーブルを示した図。
【符号の説明】
【００２５】
１０  アンテナ、１１  チューナー、１２  デマルチプレクサ、１３  映像信号処理回路、１４  ＯＳＤ処理回路、１５  音声信号処理回路、１６  操作部、１７  インターフェース、１８  リモコン、１９  受信部、２０  ハードディスク、２０ａ  視聴履歴テーブル、２０ｂ  自動削除フラグ、２１  制御部、２２  バス、２５  映像信号出力端子、２６  音声信号出力端子。
【図１】
2008153734.tif 000003
【図２】
2008153734.tif 000004
【図３】
2008153734.tif 000005
【図４】
2008153734.tif 000006
【図５】
2008153734.tif 000007
【図６】
2008153734.tif 000008